(57)【要約】      （修正有）【課題】家庭で茸を栽培することができる家庭茸栽培ボックスに関し、野外での朝晩の温度差の茸自然成長環境を模倣することで、家庭で茸菌床栽培の茸芽を促進し、茸の品質と生産量を改善することができる家庭茸栽培ボックスを提供する。【解決手段】家庭茸栽培ボックス１００は、周囲をアクリルプラスチック板１１９で囲われた容器である。ヒータ１０３及び温度コントローラ１０９からなる加熱装置は、家庭茸栽培ボックス１００の中の温度を第１の温度に加熱制御する。ポンプ１０４、ＰＥパイプ１０５、スプレー式ノズル１０６（＃１）〜１０６（＃４）、及び水槽１２０からなる冷却装置は、家庭茸栽培ボックス１００の中の温度を第１の温度よりも低い第２の温度に冷却制御する。トグルスイッチ１１１は、加熱装置と冷却装置の駆動を切り替える。メインタイマ１０８は、トグルスイッチ１１１により駆動した装置の駆動時間を設定する。【選択図】図１
0003231009.tif 000002
【実用新案登録請求の範囲】
【請求項１】
内部に菌床を設置可能な栽培容器と、
前記栽培容器内に設置され、前記栽培容器内の温度を第１の温度近傍に加熱制御する加熱装置と、
前記栽培容器内に設置され、前記栽培容器内の温度を前記第１の温度よりも低い第２の温度近傍に冷却制御する冷却装置と、
前記加熱装置の駆動と前記冷却装置の駆動を切り替える双投スイッチと、
前記双投スイッチにより駆動が切り替えられた装置の駆動時間を設定するタイマ装置と、
を備える家庭茸栽培ボックス。
【請求項２】
前記加熱装置は、正温度特性ヒータを含む、請求項１に記載の家庭茸栽培ボックス。
【請求項３】
前記冷却装置は、
前記栽培容器の底部に水又は栄養薬液を貯水する水槽と、
前記水槽の水又は栄養薬液をくみ上げるポンプと、
前記ポンプがくみ上げた水又は栄養薬液を送水するパイプと、
前記栽培容器の上部に設置され前記パイプを介して送水された水又は栄養薬液を前記菌床に噴霧するノズルと、
を含む請求項１又は２に記載の家庭茸栽培ボックス。
【請求項４】
前記水槽が他の部分と分離可能に構成されている請求項３に記載の家庭茸栽培ボックス。
【請求項５】
前記栽培容器内を外気で換気する換気装置と、
前記換気装置の駆動時間を設定する他のタイマ装置と、
を更に備える請求項１乃至４の何れかに記載の家庭茸栽培ボックス。
【請求項６】
前記栽培容器内を照明するＬＥＤ照明装置を更に備える、請求項１乃至５の何れかに記載の家庭茸栽培ボックス。
【請求項７】
キャスターを更に備える、請求項１乃至６の何れかに記載の家庭茸栽培ボックス。
【考案の詳細な説明】
【技術分野】
【０００１】
本考案は、家庭で茸を栽培することができる家庭茸栽培ボックスに関する。
【背景技術】
【０００２】
従来、温度又は湿度や照明光の制御をしながら家庭で茸栽培をできるようにした技術が知られている。例えば、温度センサの検知温度に基づいてヒータ又は冷却器を制御し、また湿度センサの検知湿度に基づいてアスピレータを制御して、栽培室内を適正な温度又は湿度に維持するようにした家庭用きのこ栽培装置が知られている（例えば特許文献１）。
【０００３】
また例えば、キャビネットの上側略中央部に人工光源を配置し、該人工光源に対向させて栽培パネルを配置し、前記キャビネットの下方に育苗箱と養液タンクと養液ポンプ等を配設した構成を有することにより、室内において野菜を栽培する場合に使用可能で、１家族が使用でき得るように狭い空間を有効に利用して、植物栽培を可能とした植物栽培装置が知られている（例えば特許文献２）。
【先行技術文献】
【特許文献】
【０００４】
【特許文献１】実開平２−３９６４０号公報
【特許文献２】特開平５−７４３６号公報
【考案の概要】
【考案が解決しようとする課題】
【０００５】
工場で菌床を使って茸を生産する過程においては、芽期の２〜３日前にエアコン等により２５℃から１５℃まで約１０℃の温度差を繰り返し刺激する環境が必要であることが知られている。しかしながら、上記従来技術においては、栽培室内の温度差を繰り返し刺激するような環境は作り出すことはできず、茸の芽数を増やして品質と収量を向上させることが可能な家庭茸栽培ボックスの実現は難しかった。
【０００６】
そこで、本考案は、野外での朝晩の温度差の茸自然成長環境を模倣することで、家庭で茸菌床栽培の茸芽を促進し、茸の品質と生産量を改善することができる家庭茸栽培ボックスを実現することを目的とする。
【課題を解決するための手段】
【０００７】
態様の一例の家庭茸栽培ボックスは、内部に菌床を設置可能な栽培容器と、栽培容器内に設置され、栽培容器内の温度を第１の温度近傍に加熱制御する加熱装置と、栽培容器内に設置され、栽培容器内の温度を第１の温度よりも低い第２の温度近傍に冷却制御する冷却装置と、加熱装置の駆動と冷却装置の駆動を切り替える双投スイッチと、双投スイッチにより駆動が切り替えられた装置の駆動時間を設定するタイマ装置と、を備える。
【考案の効果】
【０００８】
本考案によれば、野外での朝晩の温度差の茸自然成長環境を模倣して、家庭で茸菌床栽培の茸芽を促進し、茸の品質と生産量を改善することができる家庭茸栽培ボックスを提供することが可能となる。
【図面の簡単な説明】
【０００９】
【図１】本考案の実施形態の家庭茸栽培ボックスの外観を示す斜視図である。
【図２】実施形態の家庭茸栽培ボックスにおける電気回路の例を示す電気配線図である。
【考案を実施するための形態】
【００１０】
以下、本考案を実施するための形態について図面を参照しながら詳細に説明する。図１は、実施形態の家庭茸栽培ボックスの外観を示す斜視透視図である。まず、家庭茸栽培ボックス１００は、４本の上面外殻フレーム枠１０１（＃１）〜１０１（＃４）、４本の下面外殻フレーム枠１０１（＃５）〜１０１（＃８）、及び４本の側面外殻フレーム枠１０１（＃９）〜（＃１２）の計１２本の外殻フレーム枠１０１によって形成される６面からなる直方体形状において、各面を例えば透明なポリエチレン膜であるアクリルプラスチック板１１９によって囲って各フレーム枠１０１の部分に固定したものである。
【００１１】
また、上記家庭茸栽培ボックス１００において、側面外殻フレーム枠１０１（＃９）と１０１（＃１０）、１０１（＃１０）と１０１（＃１１）、１０１（＃１１）と１０１（＃１２）、及び１０１（＃１２）と１０１（＃９）の各中央位置間を水平方向に渡して形成される４本の中間フレーム枠１０２（＃１）〜１０２（＃４）と、中間フレーム枠１０２（＃１）と１０２（＃３）の間を渡すように形成される２本の平行な中間フレーム枠１０２（＃５）及び１０２（＃６）とからなる家庭茸栽培ボックス１００の内側水平平面部分に、特には図示しない茸の菌床が置かれる。
【００１２】
実施形態の家庭茸栽培ボックス１００では例えば、工場で製造された菌床が使用されるため、茸は２、３日程度で発芽し、菌床で茸栽培する成長サイクルは１回目が約１５日で、菌床は３回使用することができる。工場で製造された菌床は約１０℃〜約３０℃の範囲で成長でき、温度への適応性が高い。
【００１３】
次に例えば、外殻フレーム枠１０１（＃３）、１０１（＃１１）、１０１（＃７）、及び１０１（＃１２）によって囲まれる側面の容器内側の中間フレーム枠１０２（＃３）の中央位置付近には、ヒータ１０３が設置されている。ヒータ１０３は、電気接続線対１１２（図１中の破線１１２）によって、制御盤１０７上の温度コントローラ１０９と接続されている。ヒータ１０３は、後述する加熱動作時に、温度コントローラ１０９の設定に基づいて家庭茸栽培ボックス１００内が約２５℃の温度になるように、家庭茸栽培ボックス１００内を暖める。ヒータ１０３と温度コントローラ１０９は、加熱装置を構成する。
【００１４】
家庭茸栽培ボックス１００の底部付近の斜線ハッチング部には、防水加工された水槽１２０が形成され、水又は栄養薬液を貯水することができる。この貯水水槽１２０内には、自吸式のポンプ１０４が水没して設置される。ポンプ１０４は、電気接続線対１１３（図１中の破線１１３）によって、制御盤１０７のトグルスイッチ（双投スイッチ）１１１を介してメインタイマ１０８に接続されている。ポンプ１０４には、ポリエチレン製のＰＥ（ＰｏｌｙＥｔｈｙｅｎｅ：ポリエチレン）パイプ１０５が、家庭茸栽培ボックス１００の水槽１２０の上部の側面下部を内側から外側に貫通し、その側面外側の下部から上部に向けて配線設置され、続いて、その側面外側上部から上面内側に貫通し、更に、上面内側の４箇所に設置された４個のスプレー式のノズル１０６（＃１）〜１０６（＃４）まで配線設置されている。後述する冷却動作時には、ポンプ１０４が、家庭茸栽培ボックス１００底部の水槽１２０内の水又は栄養薬液をくみ上げて、ＰＥパイプ１０５内を送水させ、４個のノズル１０６（＃１）〜１０６（＃４）から、家庭茸栽培ボックス１００内下部に設置されている特には図示しない菌床に向かって噴霧させる。この構成により、家庭茸栽培ボックス１００内が約１５℃の温度になるように家庭茸栽培ボックス１００内が冷やされ、かつ菌床に十分な水分が供給されることにより、２５℃と１５℃の温度差が発生させられる過程で、菌床の水分含有量を増やして、茸が十分な水分の状態で成長するようにすることを可能にする。吸収されずに残った水分は家庭茸栽培ボックス１００底部の水槽１２０内に落ちる。ポンプ１０４、ＰＥパイプ１０５、ノズル１０６（＃１）〜１０６（＃４）、及び水槽１２０は、冷却装置を構成する。水槽１２０は、水槽１２０よりも上の部分と分離できる構成とすることが好ましい。例えば、水槽１２０の底面部に、外殻フレーム枠１０１が載置されるものとすることができる。これにより、家庭茸栽培ボックス１００内の手入れが容易になる。また、家庭茸栽培ボックス１００の下部にキャスターを取り付けることが好ましい。これにより、家庭茸栽培ボックス１００の移動を容易にすることができる。
【００１５】
続いて例えば、外殻フレーム枠１０１（＃４）、１０１（＃１２）、１０１（＃８）、及び１０１（＃９）によって囲まれる側面の容器内側の中間フレーム枠１０２（＃４）付近には、ファン１２１が設置されている。ファン１２１は、特には図示しない電気接続線対によって、制御盤１０７上のファン制御タイマ１１０と接続されている。ファン１２１は、ファン制御タイマ１１０によって計測される一定時間間隔で回転駆動して、家庭茸栽培ボックス１００の外側から内側に向かって送風換気し、外気の酸素を家庭茸栽培ボックス１００内に設置された菌床に供給することにより、茸の正常な成長を確保することを可能にする。
【００１６】
更に例えば、外殻フレーム枠１０１（＃１）、１０１（＃２）、１０１（＃３）、及び１０１（＃４）によって囲まれる上面の容器内側には、外殻フレーム枠１０１（＃２）と１０１（＃４）の各中央点間を渡すように照明用フレーム枠１１４が設置され、その照明用フレーム枠１１４に沿ってＬＥＤ（Ｌｉｇｈｔ  Ｅｍｉｔｔｉｎｇ  Ｄｉｏｄｅ：発光ダイオード）ライト１１５が設置されている。ＬＥＤライト１１５は、電気接続線対１１６（図１中の破線１１６）によって、制御盤１０７を介してＤＣ電源アダプタ１１７に接続されている。家庭茸栽培ボックス１００が置かれた屋内において外部の光量が不足するような場合に、ＬＥＤライト１１５が、例えばその本体に設置されたタッチスイッチ（後述する図２の２０１参照）にタッチすることによりオンされ、家庭茸栽培ボックス１００内の菌床を照明して菌床に補助的な光を照射することにより、茸の成長を加速させることを可能にする。
【００１７】
制御盤１０７には、ＤＣ（直流）電源アダプタ１１７が接続される。ＤＣ電源アダプタ１１７は、家庭内コンセントに接続されたＡＣ（交流）プラグ１１８からの交流１００Ｖ（ボルト）電圧を直流１２Ｖ電圧に変換して得られる電力を、制御盤１０７に供給する。
【００１８】
図１で説明した外殻フレーム枠１０１（＃１）〜１０１（＃１２）、中間フレーム枠１０２（＃１）〜１０２（＃６）、及び照明用フレーム枠１１４は、例えば木材で構成することができる。或いは、これらのフレーム枠は、プラスチックにより成形されてもよい。
【００１９】
図１で説明したアクリルプラスチック板１１９は、例えば温室フィルム、又はガラス板であってもよい。
【００２０】
図２は、図１の実施形態の家庭茸栽培ボックス１００における電気回路の例を示す電気配線図である。家庭用コンセントに接続されたＡＣプラグ１１８からの交流１００Ｖ電力は、ＤＣ電源アダプタ１１７によって直流１２Ｖ電力に変換された後、その直流１２Ｖ電力が、制御盤１０７上のメインタイマ１０８及びファン制御タイマ１１０に供給され、また、制御盤１０７から電気接続線対１１６を介してスイッチ２０１を含むＬＥＤライト１１５に供給される。制御盤１０７は、制御回路を構成する。
【００２１】
タイマユニットの一部を構成するメインタイマ１０８では、電力供給時間を、例えば８〜１２時間の範囲内で自由に設定することができる。ＯＮ−ＯＦＦ−ＯＮ型の双投単極又は双投２極タイプのトグルスイッチ１１１は、「メインタイマ１０８からの出力電力線を温度コントローラ１０９の電力入力端子に接続する状態」、「メインタイマ１０８からの出力電力線をポンプ１０４の電力入力端子に接続する状態」、又は「メインタイマ１０８からの出力電力線を温度コントローラ１０９及びポンプ１０４のどちらの電力入力端子にも接続しない状態」、の３状態のうちの何れかの接続状態を設定することができる。
【００２２】
例えば、毎日午前７時に、トグルスイッチ１１１が、「メインタイマ１０８からの出力電力線を温度コントローラ１０９の電力入力端子に接続する状態」に設定され、メインタイマ１０８が例えば１２時間動作に設定された場合、メインタイマ１０８は午前７時から午後７時までの１２時間、温度コントローラ１０９にＤＣ電源アダプタ１１７からの直流１２Ｖ電力を供給し続ける。
【００２３】
電力供給を受けた温度コントローラ１０９は、電気接続線対１１２（図１中の破線１１２）を介して接続されるヒータ１０３を加熱させる。この結果、ヒータ１０３は、例えば１２時間、家庭茸栽培ボックス１００内が約２５℃の温度になるように、家庭茸栽培ボックス１００内を暖め続ける。これにより茸の発芽率が向上する。
【００２４】
ここで、ヒータ１０３としては例えば、チタン酸バリウム（ＢａＴｉＯ３）を主成分とする半導体セラミックを用いたＰＴＣ（Ｐｏｓｉｔｉｖｅ  Ｔｅｍｐｅｒａｔｕｒｅ  Ｃｏｅｆｆｉｃｉｅｎｔ：正温度特性）ヒータを採用することができる。ＰＴＣヒータは、自己温度制御機能を持つため、サーモスタットや特別な制御回路無しで加熱を防ぐことができる。ＰＴＣヒータは、温度上昇に伴って抵抗値が高まって過剰な電気が流れなくなり発熱量が減って温度上昇が止まるため、節電に寄与することができる。温度コントローラ１０９は、上限加熱温度を例えば２５℃に設定するための簡単な設定回路である。ヒータ１０３として例えばＰＴＣヒータを用いることにより、温度センサなどの特別な制御素子を用いない安価な構成で、家庭茸栽培ボックス１００内を例えば２５℃の一定温度に保温することが可能となる。
【００２５】
例えば午前７時に加熱を開始してから１２時間後の午後７時に、メインタイマ１０８が温度コントローラ１０９への電力供給を停止する。続いて、トグルスイッチ１１１が「メインタイマ１０８からの出力電力線をポンプ１０４の電力入力端子に接続する状態」に設定されると、メインタイマ１０８は、例えば午後７時から翌朝午前７までの１２時間、電気接続線対１１３（図１中の破線１１３）を介して、ポンプ１０４にＤＣ電源アダプタ１１７からの直流１２Ｖ電力を供給し続ける。
【００２６】
電力供給を受けたポンプ１０４は、家庭茸栽培ボックス１００底部の水槽１２０からの水又は栄養薬液のくみ上げを開始し、例えば午後７時から翌朝午前７時までの１２時間、くみ上げた水又は栄養薬液を、ＰＥパイプ１０５を介して家庭茸栽培ボックス１００の上面内側の４箇所に設置された４個のスプレー式のノズル１０６（＃１）〜１０６（＃４）まで送水し、そこから家庭茸栽培ボックス１００内下部に設置されている特には図示しない菌床に向かって噴霧させる動作を継続する。この結果、例えば午後７時から翌朝午前７時までの１２時間、家庭茸栽培ボックス１００内が約１５℃の温度付近にまで冷却される。この場合、冷却温度範囲は例えば５℃から１５℃と広く取ることができ、また、水槽１２０内に適宜アイスキューブを投入することにより上記冷却温度範囲を調整することができる。このため、実施形態では、温度センサや加熱装置における温度コントローラ１０９のような特別な部品を使うことなく、簡単に家庭茸栽培ボックス１００内の冷却を実現することが可能となる。
【００２７】
また、この冷却動作においては、４個のノズル１０６（＃１）〜１０６（＃４）から菌床への水又は栄養薬液の噴霧により、菌床の水分含有量を増やして、茸が十分な水分の状態で成長することを可能にする。前述したように、吸収されずに残った水分は家庭茸栽培ボックス１００底部の水槽１２０内に落ち、循環再利用される。水槽１２０内に一定量の水を補給しておくことにより、簡単な構成で、長時間にわたって家庭茸栽培ボックス１００内を冷却及び保湿することが可能となる。
【００２８】
冷却を開始してから１２時間後の例えば午前７時に、メインタイマ１０８がポンプ１０４への電力供給を停止し、ポンプ１０４による冷却動作が停止する。続いて、トグルスイッチ１１１が、「メインタイマ１０８からの出力電力線を温度コントローラ１０９の電力入力端子に接続する状態」に再び設定されると、メインタイマ１０８は、次の例えば午前７時から午後７時までの１２時間、再び温度コントローラ１０９にＤＣ電源アダプタ１１７からの直流１２Ｖ電力を供給するようになり、電力供給を受けた温度コントローラ１０９を介してヒータ１０３が加熱動作を行うようになる。
【００２９】
このようにして、図２の電気配線の例では、メインタイマ１０８を例えば１２時間に設定した後は、例えば昼間の時間帯と夜間の時間帯の１２時間毎にトグルスイッチ１１１を切替操作するだけの非常に簡単な操作で、例えば１２時間毎に家庭茸栽培ボックス１００内の約２５℃の加熱動作（保温動作）と約１５℃の冷却動作を繰り返すことができ、野外での朝晩の温度差を模した茸自然成長環境を家庭内の家庭茸栽培ボックス１００で簡単に実現することが可能となる。この結果、家庭茸栽培ボックス１００での茸菌床栽培の茸芽を促進し、茸の品質と生産量を改善することができる家庭茸栽培ボックスを実現することが可能となる。
【００３０】
タイマユニットの一部を構成する図２のファン制御タイマ１１０では、メインタイマ１０８からは独立して、電力供給時間を自由に設定することができる。例えば、一定時間おきに電力供給のオンとオフが繰り返されるような状態を、ファン制御タイマ１１０にて設定することができる。この場合、ＤＣ電源アダプタ１１７からの直流１２Ｖ電力によって、ファン１２１が一定時間回転して換気を行い、次の一定時間は休止し、更に次の一定時間は換気を行う、といった間歇動作を実現することが可能となる。この結果、ファン１２１が、ファン制御タイマ１１０によって計測される一定時間間隔で、回転動作して家庭茸栽培ボックス１００外側から内側に向かって送風換気し、外気の酸素を家庭茸栽培ボックス１００内に設置された菌床に供給することにより、茸の正常な成長を確保することが可能となる。ファン１２１は、換気装置を構成する。
【００３１】
図２の電気回路において、ＬＥＤライト１１５は、電気接続線対１１６（図１中の破線１１６）によって、制御盤１０７を介してＤＣ電源アダプタ１１７に接続されている。ＬＥＤライト１１５は、例えばその本体に設置されたタッチスイッチ２０１に触れることによりオンされる。家庭茸栽培ボックス１００での通常での茸栽培では、自然光に依存しているが、家庭茸栽培ボックス１００が置かれた屋内で光量が不足するような場合には、タッチスイッチ２０１にタッチしてＬＥＤライト１１５をオンすることにより、家庭茸栽培ボックス１００内の菌床を照明して菌床に補助的な光を供給することができ、茸の成長を加速させることが可能となる。ＬＥＤライト１１５は、ＬＥＤ照明装置を構成する。
【００３２】
図２に例示される電気回路の例において、メインタイマ１０８及びファン制御タイマ１１０は例えば、市販の安価な２系統独立型の１台のデジタルタイマユニット２０２によって、簡単に実現することが可能である。この場合、制御盤１０７には、上記２系統独立型のデジタルタイマユニット３０４と温度コントローラ１０９とトグルスイッチ１１１が設置されればよく、電気回路を簡単な配線で実現することが可能となる。
【００３３】
以上説明したように、図１の実施形態の家庭茸栽培ボックス１００において、トグルスイッチやタイマ等の安価な電気部品を使用するだけの図２に例示される電気回路が採用された低コストで製造可能な家庭茸栽培ボックス１００が提供されることにより、家庭での菌床を使った茸の生産を簡便に実現することが可能となる。
【符号の説明】
【００３４】
１００  家庭茸栽培ボックス
１０１（＃１）〜１０１（＃１２）  外殻フレーム枠
１０２（＃１）〜１０２（＃６）  中間フレーム枠
１０３  ヒータ
１０４  ポンプ
１０５  ＰＥパイプ
１０６（＃１）〜１０６（＃４）  ノズル
１０７  制御盤
１０８  メインタイマ
１０９  温度コントローラ
１１０  ファン制御タイマ
１１１  トグルスイッチ
１１２、１１３、１１６  電気接続線対
１１４  照明用フレーム枠
１１５  ＬＥＤライト
１１７  ＤＣ電源アダプタ
１１８  ＡＣプラグ
１１９  アクリルプラスチック板
１２０  水槽
１２１  ファン
２０１  スイッチ
２０２  ２系統独立型デジタルタイマユニット
【図１】
0003231009.tif 000003
【図２】
0003231009.tif 000004